【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
自転車のギアチェンジ装置用の命令装置において、
回転軸（ｘ）を有する回転ドラムであって、回転ドラム（２）の横表面上にチェンジ作動ケーブル（３）の少なくとも一部を巻き取るべく反対方向に回転するようになっている回転ドラム（２）と、
命令に応じて、所定の角度間隔に応じて反対方向に回転ドラム（２）を回転させるようになっている回転手段と、
回転手段に対して加えられた命令が存在しない状態において、回転ドラム（２）の位置を保持するようになっている保持手段と、を有しており、
回転ドラム（２）の回転軸（ｘ）は、自転車の前進方向との関係において垂直である、
ことを特徴とする命令装置。
【請求項２】
所定の角度間隔において反対方向に回転ドラムを回転させるようになっている回転手段は、
円筒形カバー（４）であって、回転ドラム（２）に対して同軸であり、且つ、回転軸（ｘ）を中心として回転し、その内部に少なくとも回転ドラム（２）を収容するようになっており、その横表面上に、貫通孔（４ａ）と、円筒形カバー（４）の外部に向かって半径方向に突出する操作具（４ｂ）と、を備えている、円筒形カバー（４）と、
円筒形カバー（４）と回転ドラム（２）との間における堅固な回転結合を実現する手段と、を有する、
ことを特徴とする請求項１に記載の命令装置。
【請求項３】
円筒形カバー（４）と回転ドラム（２）との間における堅固な回転結合を実現する手段は、
回転軸（ｘ）に対して同軸で円筒形カバー（４）の第１端部表面（４ｃ）内に配置され、円筒形カバー（４）との回転において固定されている円形の前部歯車（５）と、
円筒形カバー（４）の第２端部表面（４ｄ）の近傍において円筒形カバー（４）の横表面に対して堅固に拘束された円形の内歯ホイールと、
第１前部歯車（５）に対して相補的に成形加工され、且つ、単一方向における回転においてこれと堅固に噛合するようになっている第２円形前部歯車（７）であって、回転軸（ｘ）に対して同軸で回転ドラム（２）の端部表面上に配置され、且つ、回転ドラム（２）との回転において固定されている第２円形前部歯車（７）と、
回転軸（ｘ）に対して同軸であり、回転ドラム（２）との回転において固定されており、且つ、第２前部歯車（７）との関係において回転ドラム（２）の反対側に配置されている外歯ホイール（８）と
固定された支持要素（９ａ）に取り付けられた少なくとも１つのアイドラ歯車（９）であって、回転軸（ｘ）に対して回転的に固定されており、且つ、外歯ホイール（８）と常に噛合するように配置され、かつ、命令によって、内歯ホイール（６）とも噛合するようになっているアイドラ歯車（９）と、
を有する、ことを特徴とする請求項２に記載の命令装置。
【請求項４】
保持手段は、少なくとも１つの成形加工された要素（１０）であって、回転ドラム（２）及び円筒形カバー（４）に対して回転的に固定されているケージ（１１）内に設けられたハウジング（１１ａ）内に収容されている、成形加工された要素（１０）を有し、
成形加工された要素（１０）は、ハウジング（１１）内に配置された弾性手段の作用により、回転ドラム（２）の横表面の少なくとも一部の外側に設けられ、且つ、所定の角度間隔で配置された複数の凹部（１２）の中の１つに係合するようになっている、
ことを特徴とする請求項１に記載の命令装置。
【請求項５】
回転手段に対する命令が存在しない状態において回転ドラム（２）の位置を保持する保持手段は、ケージ（１１）の下に配置され、回転ドラム（２）の少なくとも１つの環状表面部分（２ａ）と相互作用する、摩擦表面から構成された摩擦装置を有する、
ことを特徴とする請求項１に記載の命令装置。
【請求項６】
円筒形カバー（４）は、命令に応じて、第１前部歯車（５）が第２前部歯車（７）と噛合し、且つ、内歯ホイール（６）がアイドラ歯車（９）と噛合しない第１位置と、第１前部歯車（５）が第２前部歯車（７）と噛合せずに離隔しており、且つ、内歯ホイール（６）がアイドラ歯車（９）と噛合し、該アイドラ歯車（９）が外歯ホイール（８）と同時に噛合する第２位置の間において、回転軸（ｘ）に沿ってスライド可能であり、
命令が存在しない状態において第１及び第２位置の一方に円筒形カバー（４）を維持するべく弾性手段が設けられている、
ことを特徴とする請求項１から５のいずれか一項に記載の装置。
【請求項７】
円筒形カバー（４）は、第１極限位置から第２極限位置に回転することにより、円筒形カバー（４）が、少なくとも成形加工された要素（１０）を凹部（１２）から該凹部（１２）に隣接する凹部（１２）に移動させるのに十分な大きさの回転を回転ドラム（２）上に誘起するように、命令に応じて、所定の角度間隔だけ離隔した２つの極限位置間において回転軸（ｘ）を中心として回転し、
命令が存在しない状態において一方の極限位置に円筒形カバー（４）を維持するべく弾性手段を備えている、
ことを特徴とする請求項６に記載の装置。
【請求項８】
回転軸（ｘ）に対して同軸の支持軸（１３）を有し、該支持軸（１３）上に回転ドラム（２）、円筒形カバー（４）、及びアイドラ歯車（９）の支持要素（９ａ）がその上部に取り付けられていて、
回転ドラム（２）は、長手方向の軸（ｘ）に対して平行な変位のために支持軸（１３）に対して堅固に拘束されており、
円筒形カバー（４）は、第１及び第２位置の間で支持軸（１３）に関して長手方向にスライド可能であり、
支持部（９ａ）は、支持軸（１３）に対して堅固に拘束されている、
ことを特徴とする請求項１から７のいずれか一項に記載の装置。
【請求項９】
命令に応じて、所定の角度間隔において反対方向に回転ドラム（２）を回転させるようになっている回転手段は、ケーブル（３）を巻き取る方向に回転ドラム（２）を回転させるようになっているラチェットギアを有する、ことを特徴とする請求項１に記載の命令装置。
【請求項１０】
ラチェットギアは、
鋸歯形状の歯を有し、且つ、回転ドラム（２）に周上に配置された第１歯車（２１）と、
その端部が第１歯車（２１）に係合するようになっている歯止め（２２）と、
歯止め（２２）に対して拘束されており、且つ、回転ドラム（２）に対して正接する方向に沿って平行運動するように歯止め（２２）を作動させるようになっている成形加工された要素（２３）と、を有する、
ことを特徴とする請求項９に記載の命令装置。
【請求項１１】
歯止め（２２）は、第１歯車（２１）と係合するようになっているその端部に対して反対の端部において成形加工された要素（２３）に対して回転可能に拘束されている、ことを特徴とする請求項１０に記載の命令装置。
【請求項１２】
成形加工された要素（２３）は、回転軸（ｘ）を中心として回転可能である、ことを特徴とする請求項１０又は１１に記載の命令装置。
【請求項１３】
弾性手段が、歯止め（２２）を第１歯車（２１）と接触するように維持するようになっている、ことを特徴とする請求項１２に記載の命令装置。
【請求項１４】
命令に応じて、所定の角度間隔で反対方向に回転ドラム（２）を回転させるようになっている前記回転手段は、
回転ドラム（２）に関連付けられており、且つ、ケーブル（３）の巻き戻し方向における回転に回転ドラム（２）を設定するようになっている弾性手段（２４）と、
ケーブル（３）の巻き戻し方向における回転ドラム（２）の回転を妨げる停止構成と、ケーブル（３）の巻き戻し方向における回転ドラム（２）の回転を可能にする解放構成の間において、所定の角度間隔において動作可能である停止メカニズム（２５）と、を有する、
ことを特徴とする請求項１に記載の命令装置。
【請求項１５】
停止メカニズムは、
回転ドラム（２）との回転において固定されている第２歯車（２６）と、
第２歯車（２６）と係合し、且つ、ケーブル（３）の巻き戻し方向における回転ドラム（２）の回転を妨げる第１位置と、第２歯車（２６）と係合しない第２位置の間において移動可能な停止歯（２７）と、
振動軸を中心として停止歯（２７）に対して回転可能に拘束されており、且つ、所定の角度だけ回動可能である揺動歯（２８）と、
を有しており、
揺動歯（２８）は、停止歯（２７）の第１位置において、揺動歯（２８）が第２歯車（２６）と係合せず、停止歯（２７）の第２位置においては、揺動歯（２８）が第２歯車歯（２６）と係合するように、停止歯（２７）との関係において配置されている、
ことを特徴とする請求項１４に記載の命令装置。
【請求項１６】
揺動歯（２８）は、その回転角度の第１端部において第２歯車（２６）に係合し、且つ、その回転角度の第２端部まで回転ドラム（２）による回転において引っ張られ、そこで、停止し、且つ、回転ドラム（２）の回転を停止させる、ことを特徴とする請求項１５に記載の命令装置。
【請求項１７】
弾性手段は、回転角度の第２端部から第１端部に向かって揺動歯（２８）を回転させるようになっている、ことを特徴とする請求項１６に記載の命令装置。
【請求項１８】
停止歯（２７）は、命令に応じて軸（ｂ）を中心として振動するトリガ（２９）に対して堅固に拘束されており、揺動歯（２８）は、トリガ（２９）に対して回転可能に拘束されており、トリガ（２９）は、命令に応じて、その第１位置とその第２位置間における変位において停止歯（２７）を作動させるようになっている、ことを特徴とする請求項１５から１７のいずれか一項に記載の命令装置。
【請求項１９】
ラチェットギア及び停止メカニズム（２５）は、成形加工されたレバー（３０）によって起動可能である、ことを特徴とする請求項１４から１８のいずれか一項に記載の命令装置。
【請求項２０】
成形加工されたレバー（３０）は、その軸（ｂ）を中心としてトリガ（２９）を回転させるように、成形加工された要素（２３）に対してトリガ（２９）の振動軸（ｂ）を中心として回転可能に拘束されており、
成形加工されたレバー（３０）は、回転軸（ｘ）を中心とした回転との関係において成形加工された要素（２３）に対して堅固に拘束されている、
ことを特徴とする請求項９から１８の中のいずれか一項に記載の命令装置。
【請求項２１】
成形加工されたレバー（３０）は、中間のヒンジ軸（ｓ）を中心として互いにヒンジ結合された２つの部分（３０ａ、３０ｂ）を有する、ことを特徴とする請求項２０に記載の命令装置。
【請求項２２】
ブロック装置であって、２つの部分（３０ａ、３０ｂ）間における相対的な回転を妨げる状態と、成形加工されたレバー（３０）の２つの部分（３０ａ、３０ｂ）間における相対的な回転を許容する状態構成との間において作動可能なブロック装置を有する、ことを特徴とする請求項２１に記載の命令装置。
【請求項２３】
ブロック装置は、ロッド（３３）であって、その一端において、成形加工されたレバー（３０）の２つの部分の中の１つの部分（３０ａ）に回転可能に拘束され、その他端は、成形加工されたレバー（３０ａ、３０ｂ）の２つの部分の中のもう１つの部分（３０ｂ）に対して堅固に拘束された台座に係合するようになっているロッド（３３）を有し、
ロッド（３３）は、台座に係合し、且つ、２つの部分（３０ａ、３０ｂ）間における相対的な回転を妨げる位置と、台座に係合せず、且つ、成形加工されたレバー（３０）の２つの部分（３０ａ、３０ｂ）間における相対的な回転を可能にする位置と、の間において回転可能である、
ことを特徴とする請求項２２に記載の命令装置。
【請求項２４】
ブロック装置（３３）は、ブレーキレバー（５０）によって起動可能であり、成形加工されたレバー（３０）は、ブレーキレバー（５０）が回転した際に、ブロック装置（３３）が、成形加工されたレバーの部分（３０ａ、３０ｂ）間における相対的な回転を防止しない状態となるように、配置されている、
ことを特徴とする請求項２２又は２３に記載の命令装置。
【請求項２５】
ブロック装置は、ブレーキレバー（５０）によって起動可能であり、該ブレーキレバーは、成形加工されたレバー（３０）の２つの部分（３０ａ、３０ｂ）間における相対的な回転を許容する位置にロッド（３３）を回転させることにより、ロッド（３３）の付属物（３ａ）と干渉するようになっている、
ことを特徴とする請求項２４に記載の命令装置。